(57)【要約】【課題】実行しようとしている注入が適切であるか否かを操作者が再確認する機会が強制的に与えられる医療用ポンプを提供する。【解決手段】スタートスイッチを一回だけ押しても、注入が直ちには実行されず、まず、実行しようとしている注入が適切であるか否かの操作者による再確認を要求する表示を表示部が表示し、この表示後にスタートスイッチを再び押すことによって初めて注入が実行される様に、制御部が制御する。このため、適切でない注入が実行される可能性を低下させることができて、医療事故を減少させることができる。【選択図】　図１
2004105540.tif 000002
【特許請求の範囲】
【請求項１】
体内への液体の注入を指示するための注入指示部と、
操作者の認識可能な出力を行うための出力部と、
前記注入の停止中における前記注入指示部に対する最初の操作に応答して前記出力部に前記出力を行わせ、この出力後の前記注入指示部に対する操作に応答して前記注入を実行させる制御部と
を具備する医療用ポンプ。
【請求項２】
前記医療用ポンプがシリンジポンプであり、
前記出力部が表示部であり、
前記シリンジポンプに設定されている前記液体の注入速度を前記表示部が表示する請求項１に記載の医療用ポンプ。
【発明の詳細な説明】
【０００１】
【発明の属する技術分野】
本願の発明は、シリンジや輸液袋等に装填されている各種の薬液や血液等の液体を体内へ注入するための医療用ポンプに関するものである。
【０００２】
【従来の技術】
医療用ポンプによって体内へ液体を注入する場合は、この液体が装填されているシリンジや輸液袋等を医療用ポンプに装着し、医療用ポンプに設けられているテンキースイッチ等で所望の注入速度（単位時間当たりの注入量）を設定し、その後に注入指示部を操作する。また、注入の途中でシリンジや輸液袋等が空になったり液体の種類を変更したりするためにシリンジや輸液袋等を交換する場合は、交換の後に注入指示部を操作する。この交換の場合は、液体の注入速度を設定しなおしてから注入指示部を操作することもある。そして、従来の医療用ポンプでは、注入指示部を操作すると、体内への液体の注入が直ちに実行されていた。
【０００３】
【発明が解決しようとする課題】
ところが、医療用ポンプに対する注入速度の設定に際して誤った注入速度を設定したり、シリンジや輸液袋等の交換の際に本来の適切な種類とは異なる種類のシリンジや輸液袋等に交換したり、シリンジや輸液袋等を交換した後に注入速度を設定しなおすことを失念したりすることが、医療現場で発生している。これらの場合に、従来の医療用ポンプでは、注入指示部の操作によって体内への液体の注入が直ちに実行されて、シリンジや輸液袋等の種類や液体の注入速度等を医師や看護師等の操作者が再確認する機会が強制的には与えられていなかったので、適切でない注入が実行されて、死亡等に到る医療事故が現実に発生している。
【０００４】
従って、本願の発明は、実行しようとしている注入が適切であるか否かを操作者が再確認する機会が強制的に与えられるために、適切でない注入が実行される可能性を低下させることができて、医療事故を減少させることができる医療用ポンプを提供することを目的としている。
【０００５】
【課題を解決するための手段】
請求項１に係る医療用ポンプでは、注入指示部を一回だけ操作しても、体内への液体の注入が直ちには実行されず、まず、操作者の認識可能な出力を出力部が出力し、この出力後に注入指示部を再び操作することによって初めて注入が実行される様に、制御部が制御する。このため、出力部による出力とこの出力後の注入指示部に対する操作との間に、実行しようとしている注入が適切であるか否かを操作者が再確認する機会が強制的に与えられる。
【０００６】
請求項２に係る医療用ポンプでは、設定されている液体の注入速度を表示部が表示する。このため、表示部による表示とこの表示後の注入指示部に対する操作との間に、少なくとも液体の注入速度を操作者が確実に再確認する機会が強制的に与えられる。
【０００７】
【発明の実施の形態】
以下、シリンジポンプに適用した本願の発明の一実施形態を、図１、２を参照しながら説明する。図２は、シリンジが装着されている状態の本実施形態のシリンジポンプを示している。このシリンジポンプ１１には、筐体１２の上面部である操作・表示部１３と把手部１４とシリンジ装着部１５とが設けられている。操作・表示部１３には多数の操作スイッチ１６や幾つかの表示部１７が設けられており、シリンジ装着部１５にはフランジ装着部２１、外筒装着部２２及びスライダ２３が設けられている。また、図示されてはいないが、シリンジ径検知部及び制御部が筐体１２内に設けられている
【０００８】
外筒装着部２２には操作・表示部１３の一部に沿って延びる突条２４が設けられており、操作・表示部１３と突条２４との間に断面Ｖ字状の溝２５が設けられている。突条２４におけるスライダ２３側の端面には突条２４と同様な断面形状を有する突部２６が対向しており、この突部２６と操作・表示部１３とにおけるスライダ２３側の端面２７にフランジ押圧板２８が対向している。端面２７やフランジ押圧板２８等がフランジ装着部２１を構成している。フランジ押圧板２８は、溝２５と同様なＶ字状の端面形状を有しており、一対のピンによって筐体１２に回動可能に取り付けられている。
【０００９】
突条２４と突部２６との間に外周面が所定の角度範囲で平面である円筒部３１が設けられており、この円筒部３１の外周面と一致する内周面を有する円筒状であり先端部が鉤状になっている摘み３２が円筒部３１に外挿されている。摘み３２には、摘み３２よりも長い円柱部３３が摘み３２と同軸状に取り付けられている。
【００１０】
円柱部３３は、円筒部３１内を通って筐体１２内へ突出しており、筐体１２内でフランジ押圧板２８の一方のピンと連結されている。摘み３２及び円柱部３３は圧縮コイルばねによって筐体１２外から筐体１２内へ向かう方向へ付勢されている。シリンジ装着部１５にシリンジが装着されていない状態では、摘み３２の下端面が筐体１２の外表面に圧接しており、フランジ押圧板２８の先端部が端面２７に圧接している。
【００１１】
スライダ２３には、スライダ２３をスライドさせるための駆動軸３４とこのスライドに際してスライダ２３を案内するための案内軸３５とが連結されている。駆動軸３４は筐体１２内の駆動機構に連結されている。スライダ２３には、シリンジの内筒を挟持するための一対の挟持部３６と、スライダ２３を操作するための操作スイッチ３７とが設けられている。操作スイッチ３７を押圧すると、一対の挟持部３６が互いに離隔してシリンジの内筒を挟持可能な状態になり、また、スライダ２３が手動でスライド可能な状態になる。
【００１２】
以上の様なシリンジポンプ１１を使用するためには、医師や看護師等の操作者は、まず、圧縮コイルばねの付勢力に抗して、摘み３２を筐体１２の外表面から離隔させる方向へ円筒部３１の外周面上を移動させる。この移動に伴って、筐体１２内から筐体１２外へ向かう方向へ円柱部３３が円筒部３１内を移動する。円柱部３３のこの移動によって、フランジ押圧板２８の先端部が端面２７から離隔する方向へフランジ押圧板２８が回動して、端面２７とフランジ押圧板２８との間に隙間が形成される。
【００１３】
摘み３２を筐体１２の外表面から離隔させて、摘み３２の下端面が円筒部３１の上端面よりも僅かに高くなると、摘み３２及び円柱部３３を円筒部３１に対して回転させることができる。上述の様に、円筒部３１の外周面が所定の角度範囲で平面であり、摘み３２の内周面も円筒部３１の外周面と一致している。このため、摘み３２及び円柱部３３を円筒部３１に対して回転させると、摘み３２の断面が円筒部３１の断面と対応しなくなる。
【００１４】
この結果、圧縮コイルばねの付勢力に抗して摘み３２を筐体１２の外表面から離隔させる力を解除しても、摘み３２は円筒部３１上に位置したままで筐体１２の外表面に接近しない。従って、この状態で、液体が装填されているシリンジ４１をシリンジ装着部１５に装着する。この装着に際しては、シリンジ４１の外筒４２を外筒装着部２２に装着し、端面２７とフランジ押圧板２８との間に形成されている隙間に外筒４２のフランジ部４３を挿入する。この隙間の幅は、各種の型式のシリンジ４１のうちで最も厚いフランジ部４３でも挿入可能な値に決定されている。
【００１５】
また、操作スイッチ３７を押圧し、一対の挟持部３６を互いに離隔させた状態で、内筒４４を挟持部３６で挟持可能な位置までスライダ２３を手動でスライドさせる。そして、その位置で、操作スイッチ３７の押圧を解除し、一対の挟持部３６を互いに接近させて、これらの挟持部３６で内筒４４を挟持する。その後、摘み３２の断面が円筒部３１の断面と対応するまで、既述の回転とは逆方向へ摘み３２及び円柱部３３を円筒部３１に対して回転させる。
【００１６】
この結果、圧縮コイルばねの付勢力によって、摘み３２が筐体１２の外表面に接近する方向へ円筒部３１の外周面上を移動する。この移動に伴って、筐体１２外から筐体１２内へ向かう方向へ円柱部３３が円筒部３１内を移動する。円柱部３３のこの移動によって、フランジ押圧板２８の先端部が端面２７に接近する方向へフランジ押圧板２８が回動し、フランジ押圧板２８がフランジ部４３を押圧して、フランジ部４３が端面２７に圧接する。フランジ部４３が端面２７に圧接した後も摘み３２は筐体１２の外表面に接近するが、摘み３２がシリンジ４１の外筒４２を押圧してこの外筒４２が溝２５の内面に圧接すると、摘み３２もそれ以上には移動しない。
【００１７】
シリンジ４１がシリンジ装着部１５に正しく装着されていると、摘み３２は外筒４２を押圧している状態で静止しており、摘み３２の位置が外筒４２の直径に対応している。従って、シリンジ径検知部によって外筒４２の直径が求められる。この直径が規格外の値であれば、表示部１７がその旨を警告及び表示して、注入が開始され得ない。外筒４２の直径が規格内の値であれば、シリンジ４１の種類が表示部１７に表示され、所望の注入速度を得るためのスライダ２３のスライド速度がこの直径から決定される。
【００１８】
以上の様にしてシリンジ４１をシリンジ装着部１５に装着すると、次に、操作スイッチ１６のうちのテンキースイッチ１６ａを押すことによって、所望の注入速度をシリンジポンプ１１に設定する。但し、シリンジポンプ１１に設定されている注入速度は、前回の注入が既に終了していたり、シリンジポンプ１１に対する電源の投入が停止されたりしていても、制御部に記憶されている。
【００１９】
従って、シリンジ装着部１５へのシリンジ４１の今回の装着がシリンジ４１の交換等であって、既に設定されている注入速度を変更する必要がない場合は、テンキースイッチ１６ａを押すことによる注入速度の設定は不要である。また、シリンジ４１の装着と注入速度の設定との順序は上述の順序とは逆であってもよい。何れにしても、注入速度が一度でも設定されていれば、その注入速度が表示部１７に表示される。
【００２０】
この状態では制御部は図１の段階５１にあり、この段階５１では注入は停止中であってまだ実行されていない。制御部による制御は段階５１から段階５２へ直ちに移行して、操作スイッチ１６のうちのスタートスイッチ１６ｂが押されたか即ち注入指示部が操作されたか否かを制御部が調べる。制御部は、スタートスイッチ１６ｂが押されたことを段階５２で検出しなければ、段階５２の処理を所定の時間間隔、例えば２０ミリ秒毎に繰り返して、スタートスイッチ１６ｂが押されたか否かを調べ続ける。
【００２１】
スタートスイッチ１６ｂが押されたことを制御部が段階５２で検出すると、制御部による制御が段階５２から段階５３へ移行して、シリンジポンプ１１の操作者による再確認を要求する表示を制御部が表示部１７に表示する。具体的には、例えば、「注入しようとしています、シリンジと注入速度とを再確認してスタートスイッチを押して下さい。」という文言を表示部１７に表示する。操作者は、この表示を見て、シリンジ４１の種類、シリンジ４１の装着状態及び液体の注入速度等を再確認する。
【００２２】
上述の表示の後に制御部による制御が段階５３から段階５４へ移行して、上述の再確認の後にスタートスイッチ１６ｂが再び押されたか否かを制御部が調べる。スタートスイッチ１６ｂが押されていなければ、制御部による制御が段階５４から段階５５へ移行して、スタートスイッチ１６ｂ以外の操作スイッチ３７が押されたか否かを制御部が調べる。
【００２３】
上述の再確認で注入速度の誤りに気付くと、操作者はその時点でテンキースイッチ１６ａを押すことによって正しい注入速度を設定しなおすことができ、その場合はスタートスイッチ１６ｂ以外の操作スイッチ３７が押されたことを制御部が段階５５で検出する。そして、制御部による制御が段階５５から段階５２へ戻って、この段階５２以降の処理が再び行われる。
【００２４】
スタートスイッチ１６ｂ以外の操作スイッチ１６が押されたことを制御部が段階５５で検出しなければ、制御部による制御が段階５５から段階５４へ戻って、この段階５４以降の処理が再び行われる。制御部は、スタートスイッチ１６ｂもスタートスイッチ１６ｂ以外の操作スイッチ３７も押されたことを段階５４、５５で検出しなければ、段階５４、５５の処理を所定の時間間隔、例えば４０ミリ秒毎に繰り返して、操作スイッチ３７の何れかが押されたか否かを調べ続ける。
【００２５】
上述の再確認の後にスタートスイッチ１６ｂが押されたことを制御部が段階５４で検出すると、制御部による制御が段階５４から段階５６へ移行して、制御部は駆動機構によるスライダ２３のスライドを開始させる。スライダ２３がスライドすると、シリンジ４１の内筒４４のフランジ部４５がスライダ２３に押されて、シリンジ４１の外筒４２の注入端に接続されているチューブ（図示せず）を介する体内への液体の注入が実行される。
【００２６】
つまり、このシリンジポンプ１１では、スタートスイッチ１６ｂを一回だけ押しても、体内への液体の注入が直ちには実行されず、まず、操作者による再確認を要求する表示を表示部１７が表示し、この表示後にスタートスイッチ１６ｂを再び押すことによって初めて注入が実行される様に、制御部が制御する。このため、表示部１７による表示とこの表示後のスタートスイッチ１６ｂに対する押圧操作との間に、実行しようとしている注入が適切であるか否かを操作者が再確認する機会が強制的に与えられる。
【００２７】
なお、以上の実施形態ではスタートスイッチ１６ｂが注入指示部になっていてその押圧操作によって注入が実行されるが、例えば回転摘みが注入指示部になっていてその回転操作によって注入が実行されてもよい。また、操作者に対する再確認の要求は、操作者の認識可能な出力であればよいので、表示部１７による文言の表示には限られず、この文言を含む人工音声の発生やその旨を示すランプの点灯等であってもよい。更に、以上の実施形態ではシリンジポンプに本願の発明が適用されているが、本願の発明はシリンジポンプ以外の医療用ポンプ、例えば輸液ポンプ等にも適用することができる。
【００２８】
【発明の効果】
請求項１に係る医療用ポンプでは、出力部による出力とこの出力後の注入指示部に対する操作との間に、実行しようとしている注入が適切であるか否かを操作者が再確認する機会が強制的に与えられる。このため、適切でない注入が実行される可能性を低下させることができて、医療事故を減少させることができる。
【００２９】
請求項２に係る医療用ポンプでは、表示部による表示とこの表示後の注入指示部に対する操作との間に、少なくとも液体の注入速度を操作者が確実に再確認する機会が強制的に与えられる。シリンジによる液体の注入に関係する医療事故では液体の注入速度についての誤りが多いので、これに対する確実な再確認によって医療事故を減少させることができる。
【図面の簡単な説明】
【図１】本願の発明の一実施形態における制御の流れ図である。
【図２】本願の発明の一実施形態としてのシリンジポンプの平面図である。
【符号の説明】
１１…シリンジポンプ（医療用ポンプ）、１６ｂ…スタートスイッチ（注入指示部）、１７…表示部（出力部）
【図１】
2004105540.tif 000003
【図２】
2004105540.tif 000004